(57)【要約】【課題】発光効率の高い発光装置を実現する。【解決手段】本発明に係る発光装置１は、基板３と、基板３の第１の面に実装された複数のＬＥＤ７と、ＬＥＤ７からの出射光を反射する円錐形状のミラー電極８とを備え、上記第１の面には、ＬＥＤ７に電力を供給するためのパッド電極６ｂが形成され、ミラー電極は、導電性を有し、パッド電極６ｂに電気的に接続されている。【選択図】図８
2014038715.tif 000002
【特許請求の範囲】
【請求項１】
基板と、
上記基板の第１の面に実装された１または２以上の光源と、
上記光源からの出射光を反射する反射部材と、
上記光源に電力を供給する１または２以上の基板電極とを備え、
上記反射部材は、導電性を有し、上記基板電極に電気的に接続されていることを特徴とする発光装置。
【請求項２】
上記反射部材は、複数の部分反射部材から構成され、
上記部分反射部材のそれぞれは、互いに絶縁され、かつ対応する基板電極に電気的に接続されていることを特徴とする請求項１に記載の発光装置。
【請求項３】
上記反射部材を取り囲む円筒形のグローブ部と、
上記グローブ部で囲まれた空間を上記円筒形の半径方向に横切るように形成された横断リブとを備え、
上記反射部材は、円錐状をなし、かつ、先端が、上記第１の面を向くように配置され、
上記グローブ部の中心軸は、上記反射部材の中心軸と一致し、
上記部分反射部材間の上記絶縁は、上記横断リブによってなされていることを特徴とする請求項２に記載の発光装置。
【請求項４】
上記反射部材が外部との電気的接続をとるための第１の外部接続電極および前記基板電極が外部との電気的接続をとるための第２の外部接続電極を備えることを特徴とする請求項３に記載の発光装置。
【請求項５】
上記部分反射部材には、底面縁部から先端側に伸びる第１のスリットが形成されており、
上記第１のスリットに嵌る嵌合部を備え、
上記反射部材を含む円錐の中心軸に平行な方向から見て、上記部分反射部材の底面縁部に対して上記中心軸側に位置する当接板を備え、
上記当接板の法線は上記中心軸に垂直であり、
上記中心軸に平行、かつ、上記先端側から離れる第１の方向の上記当接板の端部が、上記グローブ部の内面から上記グローブ部の中心軸に向かう第２の方向に突出する突起状リブと、上記端部から上記第２の方向の反対方向に伸びる連結部を介して連続しており、
上記当接板と上記連結部と上記突起状リブとで上記第１の方向に伸びる第２のスリットを形成しており、
上記第１の外部接続電極は、上記第２のスリットに嵌る突出部を備えていることを特徴とする請求項４に記載の発光装置。
【請求項６】
請求項４または５のいずれか１項に記載の発光装置を複数備え、
上記発光装置は、互いに積層されており、
積層された上記発光装置は、隣接する２つの上記発光装置の一方の発光装置の上記第１の外部接続電極と他方の発光装置の上記第２の外部接続電極とが接触することにより、互いに電気的に接続されていることを特徴とする信号灯。
【発明の詳細な説明】
【技術分野】
【０００１】
本発明は、発光装置に関し、特に、発光ダイオード（ＬＥＤ）からの出射光をミラーで反射させて水平方向に投射する反射型の発光装置に関する。
【背景技術】
【０００２】
従来より、工場などにおける工程の異常を報知する手段、会社や駐車場などの出入口や工事現場およびガソリンスタンドなどで注意を促す手段として、信号灯が広く用いられている。信号灯は、積層された複数の発光装置を備えて構成されている。
【０００３】
発光装置には、直射型の発光装置および反射型の発光装置が存在する。
【０００４】
直射型の発光装置は、出射光が水平方向に投射されるように配置されたＬＥＤを光源としている。しかしながら、直射型の発光装置は、水平方向の出射光しか得られないため、下方向からの視認性に劣るという短所がある。
【０００５】
これに対し、反射型の発光装置は、出射光が垂直方向（下方向）に投射されるように配置されたＬＥＤと、ＬＥＤの出射光を水平方向に反射するミラーとを備えている。ミラーは、一般に円錐の成形品にアルミ蒸着を施したものが多く用いられる。出射光が下方向に投射されるようにＬＥＤが配置されているため、下方向からの視認性に優れるという長所がある。
【０００６】
続いて、従来の反射型の発光装置を備えた信号灯の例について説明する。
【０００７】
図９は、特許文献１に開示されている信号灯１１０を示す側面図である。信号灯１１０は、信号灯本体１１９と、その信号灯本体１１９上に積層して形成されたグローブ１１３ａ〜１１３ｄとを備える。
【０００８】
図１０は、グローブ１１３ａ〜１１３ｄを取り除いた状態における信号灯１１０を示す側面図である。信号灯本体１１９は、一方向に延びるフレーム１１４を有し、そのフレーム１１４の間には、ソケット１１２ａ〜１１２ｄが形成されている。ソケット１１２ａ〜１１２ｄには、反射型の発光装置である発光ダイオードユニット１０１が取り付けられる。また、各ソケット１１２ａ〜１１２ｄには、電源と電気的に接続された配線１１５ａ〜１１５ｄおよび１２５ａ〜１２５ｄが接続されている。
【０００９】
図１１は、発光ダイオードユニット１０１を示す図である。発光ダイオードユニット１０１と、複数の発光ダイオード１０２と、口金１０３と、反射鏡１０４と、基板１０７とを備えている。口金１０３はソケット１１２ａに挿し込まれている。発光ダイオード１０２は、出射光が下方向に投射されるように基板１０７上に配置されている。反射鏡１０４は、円錐形状をなしており、これにより、発光ダイオード１０２からの出射光は水平方向に投射される。
【先行技術文献】
【特許文献】
【００１０】
【特許文献１】特開平１１−２５１６３７号公報（１９９９年９月１７日公開）
【発明の概要】
【発明が解決しようとする課題】
【００１１】
しかしながら、特許文献１に開示されている従来技術では、図１０に示されるように、配線１１５ａ〜１１５ｄおよび１２５ａ〜１２５ｄが、反射鏡１０４に反射された光を遮る。そのため、配線１１５ａ〜１１５ｄおよび１２５ａ〜１２５ｄが影を作り、発光ダイオードユニット１０１の発光効率が低下するという問題がある。
【００１２】
特許文献１の発光ダイオードユニット１０１は、下部のみに外部接続電極を備える発光装置であるが、上部および下部の両方に外部接続電極を備える発光装置を積層した信号灯においても、同様の問題が生じる。すなわち、上部の外部接続電極と下部の外部接続電極とを電気的に接続するための配線電極を、反射鏡（反射部材）とは別に設ける必要があるため、当該配線電極が反射鏡からの反射光を遮り、発光効率を低下させてしまう。
【００１３】
本発明は、上記の問題点を解決するためになされたもので、その目的は、発光効率の高い発光装置を実現することにある。
【課題を解決するための手段】
【００１４】
上記の課題を解決するために、本発明に係る発光装置は、基板と、上記基板の第１の面に実装された１または２以上の光源と、上記光源からの出射光を反射する反射部材と、上記光源に電力を供給する１または２以上の基板電極とを備え、上記反射部材は、導電性を有し、上記基板電極に電気的に接続されていることを特徴としている。
【００１５】
上記の構成によれば、反射部材が光源からの出射光を反射することにより、発光装置の外部に光が投射される。ここで、反射部材が、導電性を有し、基板の第１の面に形成された基板電極に電気的に接続されている。すなわち、反射部材が、基板電極に電力を供給するための配線電極としても機能する。このため、従来構成のように、下部電極と基板電極とを電気的に接続するための配線電極を反射部材と別に設ける必要がない。よって、反射部材とは別に設けられた配線電極が、反射部材に反射された光を遮るという不都合は生じない。したがって、発光効率の高い発光装置を実現することができる。
【００１６】
本発明に係る発光装置では、上記反射部材は、複数の部分反射部材から構成され、上記部分反射部材のそれぞれは、互いに絶縁され、かつ対応する基板電極に電気的に接続されていることが好ましい。上記の構成によれば、第１の面に基板電極が複数形成されている場合であっても、部分反射部材によって各基板電極に電力を供給することができる。
【００１７】
本発明に係る発光装置では、上記反射部材を取り囲む円筒形のグローブ部と、上記グローブ部で囲まれた空間を上記円筒形の半径方向に横切るように形成された横断リブとを備え、上記反射部材は、円錐状をなし、かつ、先端が、上記第１の面を向くように配置され、上記グローブ部の中心軸は、上記反射部材の中心軸と一致し、上記部分反射部材間の上記絶縁は、上記横断リブによってなされていることが好ましい。
【００１８】
上記の構成によれば、各部分反射部材が横断リブによって仕切られている。そのため、部分反射部材をグローブ部に取り付ける際に、部分反射部材が横断リブによって取り付け位置まで案内される。よって、部分反射部材の取り付けが容易になる。
【００１９】
本発明に係る発光装置では、上記反射部材が外部との電気的接続をとるための第１の外部接続電極および前記基板電極が外部との電気的接続をとるための第２の外部接続電極を備えることが好ましい。
【００２０】
上記の構成によれば、第１の外部接続電極と部分反射部材とを一体的に成形することができる。また、２つの発光装置の一方の発光装置の第１の外部接続電極と、他方の発光装置の第２の外部接続電極とを接続することにより、２つの発光装置を積層することができる。
【００２１】
本発明に係る発光装置では、上記部分反射部材には、底面縁部から先端側に伸びる第１のスリットが形成されており、上記第１のスリットに嵌る嵌合部を備え、上記反射部材を含む円錐の中心軸に平行な方向から見て、上記部分反射部材の底面縁部に対して上記中心軸側に位置する当接板を備え、上記当接板の法線は上記中心軸に垂直であり、上記中心軸に平行、かつ、上記先端側から離れる第１の方向の上記当接板の端部が、上記グローブ部の内面から上記グローブ部の中心軸に向かう第２の方向に突出する突起状リブと、上記端部から上記第２の方向の反対方向に伸びる連結部を介して連続しており、上記当接板と上記連結部と上記突起状リブとで上記第１の方向に伸びる第２のスリットを形成しており、上記第１の外部接続電極は、上記第２のスリットに嵌る突出部を備えていることが好ましい。
【００２２】
上記の構成によれば、２つの発光装置を積層するために、２つの発光装置を相対的に回転させる際に、部分反射部材に回転方向の力が加わるが、嵌合部によって、部分反射部材が回転方向にずれることが防止され、部分反射部材の底面縁部とグローブ部の内面との摩擦は生じない。したがって、部分反射部材の底面縁部を保護することができる。また、
突出部が第２のスリットの端部に到達することによって、部分反射部材の第１の方向の移動が阻止される。よって、部分反射部材をより安定してグローブ部に取り付けることができる。
【００２３】
本発明に係る信号灯は、発光装置を複数備え、上記発光装置は、互いに積層されており、積層された上記発光装置は、隣接する２つの上記発光装置の一方の発光装置の上記第１の外部接続電極と他方の発光装置の上記第２の外部接続電極とが接触することにより、互いに電気的に接続されていることを特徴としている。
【００２４】
上記の構成によれば、発光効率の高い信号灯を実現することができる。
【発明の効果】
【００２５】
以上のように、本発明に係る発光装置は、基板と、上記基板の第１の面に実装された１または２以上の光源と、上記光源からの出射光を反射する反射部材と、上記光源に電力を供給する１または２以上の基板電極とを備え、上記反射部材は、導電性を有し、上記基板電極に電気的に接続されているので、発光効率の高い発光装置を実現できるという効果を奏する。
【図面の簡単な説明】
【００２６】
【図１】本発明の実施形態に係る反射型の信号灯を示す側面図である。
【図２】（ａ）は、上記発光装置の側面図であり、（ｂ）は、上記発光装置を斜め下から見た斜視図であり、（ｃ）は、上記発光装置を斜め上から見た斜視図である。
【図３】上記発光装置の分解斜視図である。
【図４】（ａ）は、上記発光装置の基板の側面図であり、（ｂ）は、当該基板の平面図であり、（ｃ）は、当該基板の底面図である。
【図５】（ａ）は、上記発光装置の本体部の平面図であり、（ｂ）は、当該本体部の部分斜視図である。
【図６】（ａ）は、本体部に取り付けられるミラー電極の斜視図であり、（ｂ）は、当該ミラー電極の部分拡大斜視図である。
【図７】（ａ）は、上記ミラー電極を取り付けた状態における、上記本体部のグローブ部を除く部分の斜視図であり、（ｂ）は、当該本体部の部分拡大図である。
【図８】上記発光装置の内部構造を示す図である。
【図９】従来の信号灯を示す側面図である。
【図１０】グローブを取り除いた状態における上記従来の信号灯を示す側面図である。
【図１１】上記従来の信号灯の発光ダイオードユニットを示す図である。
【発明を実施するための形態】
【００２７】
本発明の実施の一形態について図１〜図８に基づいて説明すれば以下のとおりである。
【００２８】
（信号灯および発光装置の概略構成）
図１は、本実施形態に係る反射型の信号灯１０を示す側面図である。信号灯１０は、台座２０の上に設置され、垂直方向に積層された複数の発光装置１を備えている。発光装置１には、光源として発光ダイオード（ＬＥＤ）が内蔵されている。発光装置１の個数は、特に限定されず、また、各発光装置１から投射される光の色は、互いに異なってもよいし、同一であってもよい。
【００２９】
図２の（ａ）は、発光装置１の側面図であり、図２の（ｂ）は、発光装置１を斜め下から見た斜視図であり、図２の（ｃ）は、発光装置１を斜め上から見た斜視図である。
【００３０】
発光装置１は、円柱形状をなしており、図２の（ａ）に示すように、発光装置１の上端部分の直径Ｄ１が、発光装置１の下端部分の直径Ｄ２よりも若干小さくなるように形成されている。また、図２の（ｂ）に示すように、発光装置１の下端部分は、下方開口円筒状に形成されており、発光装置１の下端部分の内径は、発光装置１の上端部分の直径Ｄ１に等しい。これにより、発光装置１の上端部分は、他の発光装置１の下端部分に嵌るようになっており、複数の発光装置１を図１に示すように積層することができる。
【００３１】
図２の（ｂ）に示すように、発光装置１の下端部分に囲まれた底部には、下方に突出する６つの下部電極（第１の外部接続電極）８ｄが設けられている。また、図２の（ｃ）に示すように、発光装置１の上面には、６つの開口部２ａが形成されており、開口部２ａの内部には、上部電極（第２の外部接続電極）６ａが設けられている。後述するように、発光装置１の上部電極６ａのそれぞれと下部電極８ｄのそれぞれとは互いに電気的に接続されており、上部電極６ａと下部電極８ｄとを接続する配線経路が下部電極８ｄの数だけ発光装置１内部に形成されるとともに上記配線経路に、ＬＥＤ７が電気的に接続されている。
【００３２】
さらに、６つの下部電極８ｄ、および、６つの開口部２ａは、それぞれ発光装置１の上端部分の内周および下端部分の内周に沿って等間隔に配置されており、６つの下部電極８ｄの配置は、６つの開口部２ａの配置に対応している。そのため、２つの発光装置１を積層した場合、すなわち、下段側の発光装置１の上端部分を上段側の発光装置１の下端部分に嵌めた場合、上段側の発光装置１の各下部電極８ｄが下段側の発光装置１の対応する上部電極６ａと接触し、２つの発光装置１は、電気的に接続される。なお、下部電極８ｄおよび開口部２ａは、等間隔に配置されなくてもよい。
【００３３】
図１に示す信号灯１０では、最下段の発光装置１（すなわち台座２０に直接設けられている発光装置１）の各下部電極８ｄは、図示しない電源に接続されている。これにより、当該電源から最下段の発光装置１内の全ての配線経路に電力が供給されると、さらに、当該最下段の発光装置１の上部電極６ａと直上の発光装置の下部電極８ｄとを介して、当該直上の発光装置１に電力が供給される。このように、電力が上段の発光装置１に順次供給されて、最上段の発光装置１まで電力が供給される。これにより、全ての発光装置１が発光する。なお、上述のように配線経路が複数形成されるので、配線経路ごとに異なる制御をすることが可能となる。
【００３４】
（発光装置の詳細な構成）
続いて、発光装置１の詳細な構成について説明する。
【００３５】
図３は、発光装置１の分解斜視図である。発光装置１は、保護キャップ２、基板（ＰＣＢＡ）３および本体部４を備えている。なお、図３では、本体部４は簡略化して図示されている。
【００３６】
保護キャップ２は、下方開口円筒形状をなしており、上部電極６ａを保護するとともに、発光装置１の上端部分を構成するものである。保護キャップ２の上面には、６つの開口部２ａが形成されている。これらの開口部２ａは、円筒状保護キャップの半径方向に間隔をおいて配置されている。また、保護キャップ２の上面の中心には、ネジを挿入するための貫通穴２ｂが形成されている。
【００３７】
基板３は、円板形状をなしている。基板３の第１の面（図３中、下側の面）には、６つのＬＥＤ７が実装されており、基板３の第２の面（図３中、上側の面）には、６つの上部電極６ａが設けられている。より具体的には、ＬＥＤ７は、基板３の第１の面の周縁の内側に沿って等間隔に配置されている。また、基板３の中心には、ネジを挿入するための貫通穴３ａが形成されている。
【００３８】
本体部４は、グローブ部４ａおよび横断リブ４ｂを備えている。グローブ部４ａは、半透明の円筒形状に形成されており、グローブ部４ａの内径は、基板３の直径よりも大きい。グローブ部４ａの色は、発光装置１が投射する光の色に応じて適宜設定される。
【００３９】
横断リブ４ｂは、グローブ部４ａで囲まれた空間の半径方向に横切るように３つ形成され、当該空間は６つの空間に区分されている。これらの横断リブ４ｂは、グローブ部４ａの中心軸の位置で互いに交差している。各横断リブ４ｂの上端は、垂直方向（中心軸が伸びる方向）の高さが揃えられ、グローブ部４ａの上端に対して所定の深さに位置している。当該所定の深さは、グローブ部４ａで囲まれた空間の各横断リブ４ｂの上端より高い部分に、基板３の全体が収まる程度であればよい。基板３は、ＬＥＤ７が実装されている第１の面が下方向になった状態で、横断リブ４ｂの上端に載置される。これにより、基板３は、グローブ部４ａで囲まれた空間における、横断リブ４ｂの上端より高い位置に収納される。
【００４０】
また、各横断リブ４ｂの交差する上端位置には、ネジ穴４ｃが形成されている。基板３および保護キャップ２を本体部４に取り付けた状態において、保護キャップ２の貫通穴２ｂ、基板３の貫通穴３ａおよび本体部４のネジ穴４ｃは、グローブ部４ａの中心軸線上に位置する。この状態で、貫通穴２ｂ・３ａおよびネジ穴４ｃにネジを挿入して当該ネジを締めることにより、保護キャップ２および基板３を本体部４に固定することができる。
【００４１】
さらに、ネジ穴４ｃの周囲には、上記区分された空間ごとに６つの中継電極８ｃが設けられている。これらの中継電極８ｃは、図２の（ｂ）に示す６つの下部電極８ｄにそれぞれ電気的に接続されている。接続の構成については後述する。
【００４２】
（基板の構造）
図４の（ａ）は、基板３の側面図であり、図４の（ｂ）は、基板３の平面図であり、図４の（ｃ）は、基板３の底面図である。図４の（ａ）に示すように、上部電極６ａは、矩形の金属板を折り曲げた形状をなしている。具体的には、上部電極６ａの長手方向の２箇所が「く」の字に折り曲げられている。折曲部分によって区分された上部電極６ａの３つの部分のうち、１つの部分は第２の面上に取り付けられている。第２の面上に取り付けられた部分に隣接する部分は、第２の面に対して斜め上方向に伸びており、略上下方向に弾性を有している。
【００４３】
図４の（ｂ）に示すように、６つの上部電極６ａは、基板３の第２の面の周縁の内側に沿って等間隔に配置されている。これらの上部電極６ａの配置は、図３に示す保護キャップ２の開口部２ａの配置に対応している。そのため、図２の（ｃ）に示すように、上部電極６ａが、発光装置１の上方向から開口部２ａを通して見えるように、保護キャップ２および基板３を本体部４に取り付けることができる。
【００４４】
また、２つの発光装置１を積層した場合、上段側の発光装置１の各下部電極８ｄが下段側の発光装置１の各上部電極６ａと接触して電気的に接続される。このとき、上部電極６ａは、斜め上方向に伸びた部分が下部電極８ｄによって下方向に押え付けられ、当該部分の復元力が下部電極８ｄに作用する。このように、上部電極６ａが板バネとして機能することで、上段側の発光装置１の下部電極８ｄと下段側の発光装置１の上部電極６ａとの接触が安定する。
【００４５】
また、図４の（ｃ）に示すように、６つのＬＥＤ７は、基板３の第１の面の周縁の内側に沿って等間隔に配置されている。さらに、第１の面の中央付近には、第１の面の中心点を囲むように６つのパッド電極（基板電極）６ｂが等間隔に形成されている。また、各パッド電極６ｂは、対応する上部電極６ａにも接続されている。なお、パッド電極６ｂの形状は特に限定されない。
【００４６】
６つのパッド電極６ｂの配置は、図３に示す６つの中継電極８ｃの配置に対応している。そのため、基板３がグローブ部４ａの内部に収納された状態において、６つのパッド電極６ｂは、６つの中継電極８ｃとそれぞれ接触する。なお、パッド電極６ｂの配置は等間隔でなくてもよい。
【００４７】
ここで、上部電極６ａとパッド電極６ｂとが図示しない配線により電気的に接続され、この配線にＬＥＤ７が電気的に接続されている。さらに、後述するように、本体部４において、中継電極８ｃは、図２の（ｂ）に示す下部電極８ｄに電気的に接続されている。そのため、基板３のパッド電極６ｂと本体部４の中継電極８ｃとが接触することにより、上部電極６ａと下部電極８ｄとが電気的に接続されることとなる。後述するように、中継電極８ｃおよび下部電極８ｄは、ＬＥＤ７の出射光を反射するためのミラー電極８（図６の（ａ）参照）の一部分であり、ミラー電極８は、銅等の導電性材料によって形成されている。すなわち、ミラー電極８が配線電極として機能することにより、中継電極８ｃと下部電極８ｄとが電気的に接続される。なお、上部電極６ａと下部電極８ｄとを電気的に接続する配線経路は、ＬＥＤ７の個数と同数形成される。
【００４８】
（本体部の内部構造）
本体部４の内部構造について、さらに詳細に説明する。
【００４９】
図５の（ａ）は、本体部４の平面図であり、図５の（ｂ）は、本体部４の部分斜視図である。なお、これらの図は、ミラー電極８が取り付けられていない状態を示している。
【００５０】
本体部４は、グローブ部４ａ、横断リブ４ｂの他、電極載置面４ｄ、ミラー取付部４ｅおよび突起状リブ４ｆを備えている。本体部４を構成するこれらの部材は、同一の透光性樹脂材料からなり、金型によって一体的に成形される。なお、本体部４を構成する各部材を、別々に成形した後、組み立ててもよい。
【００５１】
図５の（ａ）に示すように、横断リブ４ｂは、グローブ部４ａの内面からグローブ部４ａの中心軸に達するように形成されている。隣り合う横断リブ４ｂのなす角度は、互いに等しい。横断リブ４ｂの交差部上端のグローブ部４ａの中心軸付近には、中心軸を囲むように、６つの三角形状の電極載置面４ｄが上記区分された空間ごとに形成されている。電極載置面４ｄには、図３に示す中継電極８ｃが載置される。
【００５２】
図５の（ａ）および（ｂ）に示すように、ミラー取付部４ｅは、円錐形状をなしている。ミラー取付部４ｅの円錐面は、横断リブ４ｂによって６つの部分円錐面に区分されている。横断リブ４ｂによって区分されたミラー取付部４ｅの部分円錐面のそれぞれには、後述するミラー電極８が取り付けられる。ミラー取付部４ｅの下端（底面縁部）とグローブ部４ａの内面との間には、隙間が存在する。
【００５３】
突起状リブ４ｆは、グローブ部４ａの内面からグローブ部４ａの中心軸に向かう方向（第２の方向）に突出しており、グローブ部４ａの内面の横断リブ４ｂによって６分割された領域に２つずつ形成されている。突起状リブ４ｆのグローブ部４ａの内面から中心軸に向かう方向の距離、すなわち突出高さは、ミラー取付部４ｅの底面縁部とグローブ部４ａの内面との距離よりも小さい。
【００５４】
（ミラー電極の構成）
続いて、ミラー取付部４ｅに取り付けられるミラー電極（部分反射部材）８について、説明する。
【００５５】
図６の（ａ）は、ミラー電極８の斜視図であり、図６の（ｂ）は、ミラー電極８の部分拡大斜視図である。
【００５６】
図６の（ａ）に示すように、ミラー電極８は、反射部８ａ、垂直部８ｂ、中継電極８ｃおよび下部電極８ｄから構成され、導電性材料で一体的に成形されている。すなわち、ミラー電極８は、導電性を有している。なお、ミラー電極８を構成する各部分を別々に成形して、それらを接合してもよい。
【００５７】
反射部８ａは、円錐形状を６等分に分割した部分円錐形状をなしている。反射部８ａの表面は、高い光反射性を有している。
【００５８】
反射部８ａの上端（先端側の端部）は、垂直部８ｂを介して、中継電極８ｃと連続している。中継電極８ｃは、三角形状をなしており、中継電極８ｃの形状は、図５に示す電極載置面４ｄの形状と略同一である。
【００５９】
また、反射部８ａの下端（底面縁部）は、下部電極８ｄと連続している。さらに、反射部８ａの底面縁部には、反射部８ａの先端側の方向に伸びる２つのスリット８ｅが形成されている。下部電極８ｄは、反射部８ａの縁部のスリット８ｅに挟まれている部分から下方向（反射部８ａの部分円錐形状を含む円錐の中心軸に平行、かつ、上記先端側から離れる方向、第１の方向）に伸びるように形成されている。
【００６０】
具体的には、図６の（ｂ）に示すように、下部電極８ｄは、細長い矩形板状部が、内側（反射部８ａの部分円錐形状を含む円錐の中心側）に折り曲げられて断面がＵ字形状となっており、下部電極８ｄの下端部分が、２つの発光装置１が積層される際に、下段側の発光装置１の上部電極６ａと接触する。
【００６１】
また、下部電極８ｄの上記内側に位置する部分には、下部電極８ｄの幅方向（第１の外部接続電極から上記中心軸に向かう方向と上記第１の方向との両方に垂直な方向）に突出する突出部８ｆが形成されている。下部電極８ｄの突出部８ｆが形成されている部分の幅は、２つのスリット８ｅの間隔よりも大きい。さらに、突出部８ｆの幅方向の先端は、外側（反射部８ａの部分円錐形状を含む円錐の中心とは反対側）に折れ曲がっている。
【００６２】
図７の（ａ）は、ミラー電極８を取り付けた状態における、本体部４のグローブ部４ａを除く部分の斜視図であり、図７の（ｂ）は、本体部４の下端部分および下部電極８ｄの拡大図である。
【００６３】
図７の（ａ）に示すように、ミラー電極８は、横断リブ４ｂによって区分されたミラー取付部４ｅの部分円錐面上に載置されることにより、本体部４に取り付けられる。この状態において、突起状リブ４ｆがミラー電極８のスリット８ｅに嵌っている。ここで、２つの発光装置１を積層する場合には、下段側の発光装置の上端を上段側の発光装置１の下端に嵌めた後、相対的に回転させる。このとき、ミラー電極８には、回転方向の力が加わるが、突起状リブ４ｆによって、ミラー電極８が回転方向にずれることが防止され、ミラー電極８の底面縁部とグローブ部４ａの内面との摩擦は生じない。したがって、反射部８ａの底面縁部を保護することができる。
【００６４】
なお、スリット８ｅに嵌ることによりミラー電極８が回転方向にずれることを防止する嵌合部材は、突起状リブ４ｆに限定されない。例えば、ミラー取付部４ｅの底面縁部にスリット８ｅに嵌る突起状の部材を形成してもよい。
【００６５】
なお、図７の（ａ）は、ミラー取付部４ｅの６つの部分円錐面のうち、５つの部分円錐面にミラー電極８が取り付けられている状態を示している。６つの部分円錐面の全てにミラー電極８が取り付けられることにより、取り付けられた６つのミラー電極８の反射部８ａは、円錐形状の反射部材を構成する。当該円錐形状の反射部材の中心軸は、グローブ部４ａの中心軸と一致する。
【００６６】
図７の（ａ）および（ｂ）に示すように、ミラー取付部４ｅの底面縁部の一部は、下方向に延びる当接板４ｇに連続している。当接板４ｇの幅は、２つの突起状リブ４ｆの間隔に等しい。また、当接板４ｇの端部は、当該端部から外側（第２の方向の反対方向）に伸びる連結部４ｈを介して突起状リブ４ｆと連続しており、当接板４ｇと連結部４ｈと突起状リブ４ｆとで垂直方向に伸びるスリット４ｉを形成している。
【００６７】
ミラー電極８をミラー取付部４ｅに取り付ける際には、上述のように、突起状リブ４ｆがミラー電極８のスリット８ｅに嵌るとともに、図６の（ｂ）に示す突出部８ｆがスリット４ｉに嵌り、連結部４ｈに到達すると、ミラー電極８の下方への移動が阻止される。この状態において、下部電極８ｄの折り曲げられた部分（折曲部分から先端側）は、図７の（ｂ）に示すように、当接板４ｇに当接させられる。また、反射部８ａの底面縁部が、グローブ部４ａの内面に接触する。
【００６８】
ここで、図６の（ｂ）に示すように、下部電極８ｄは、Ｕ字状に折り曲げられており、板バネとしても機能する。そのため、上記折り曲げられた部分が当接板４ｇに当接されると、当接板４ｇを押し付ける力が発生する。これにより、反射部８ａの底面縁部には、グローブ部４ａの内面の方向に向かう力が発生する。すなわち、反射部８ａとグローブ部４ａとの間、および、下部電極８ｄの上記折り曲げられた部分と当接板４ｇとの間に、摩擦力が発生する。よって、ミラー電極８を安定してミラー取付部４ｅに取り付けることができる。なお、下部電極８ｄの断面形状は、Ｖ字状であってもよい。
【００６９】
また、ミラー電極８をミラー取付部４ｅに取り付けると、ミラー電極８の中継電極８ｃがグローブ部４ａの電極載置面４ｄに載置された状態となる。ここで、中継電極８ｃは、三角形状の先端部分が、垂直部８ｂと連続している底辺部分よりも高くなるように、全体が斜め上方向に反っている。これにより、図３に示す基板３が本体部４に取り付けられた場合に、中継電極８ｃは、基板３のパッド電極６ｂによって下方向に押え付けられ、中継電極８ｃの復元力がパッド電極６ｂに作用する。このように、中継電極８ｃが板バネとして機能することで、パッド電極６ｂと中継電極８ｃとの接触を安定させることができる。
【００７０】
（ミラー電極の機能）
図８は、発光装置１の内部構造を示す図である。図８に示すように、６つのミラー電極８の反射部８ａによって構成された円錐形状の反射部材は、円錐形状の先端側が、ＬＥＤ７が実装された基板３の第１の面に向いている。反射部８ａは、ＬＥＤ７からの出射光の出射方向に対して傾いているため、ＬＥＤ７からの出射光は、ミラー電極８によって反射され、大部分は水平方向（図中左右方向）に投射される。すなわち、ミラー電極８は、下方向に出射されたＬＥＤ７の光を発光装置１の周囲に投射させる。なお、ＬＥＤ７からの出射光の一部は、上下方向にも反射される。ミラー電極８の当該機能は、従来の発光装置に使用される反射部材の機能と同様である。
【００７１】
さらに、本実施形態では、ミラー電極８は、導電性材料によって形成されており、中継電極８ｃおよび下部電極８ｄを備えている。中継電極８ｃは、基板３の第１の面に形成された、基板３に形成されたパッド電極６ｂと接触している。これにより、基板３と下部電極８ｄとは、電気的に接続されることとなる。すなわち、ミラー電極８は、基板３に電力を供給するための配線電極としても機能する。さらには、ミラー電極８の下部電極８ｄは、発光装置１に電力を供給するための外部接続電源としても機能する。すなわち、ミラー電極８は、基板３に外部から電力を供給するための配線として機能する。また、各ＬＥＤ７は、１つのミラー電極８に対応しており、１つのミラー電極８を導通する電流は、１つのＬＥＤ７に供給される。
【００７２】
（効果の説明）
本実施形態では、反射部材として機能するミラー電極８が導電性を有していることにより、基板３のパッド電極６ｂに電力を供給するための配線および電極としても機能する。特に、反射部材は、電極および配線として適した形状をしており、従来構成のように、下部電極と基板のパッド電極とを電気的に接続するための配線電極をミラーと別に設ける必要がない。よって、ミラーとは別に設けられた配線や電極が、ミラーに反射された光を遮って、グローブ部の発光面に影を作るという不都合は生じない。それゆえ、発光効率および見栄えを低下させることがなく、部品の種類を削減するとともに、発光装置１の組立工数も削減することができる。
【００７３】
また、複数の発光装置１を上下方向に積層することができ、上述したように、発光装置１の上部電極６ａのそれぞれと下部電極８ｄのそれぞれとは互いに電気的に接続され、各下部電極８ｄの配置は、各開口部２ａの配置に対応しているので、２つの発光装置１を積層した場合、すなわち、下段側の発光装置１の上端部分を上段側の発光装置１の下端部分に嵌めた場合、上段側の発光装置１の下部電極８ｄが下段側の発光装置１の上部電極６ａと接触し、２つの発光装置１は、電気的に接続される。よって、図１０に示す従来構成のように、発光装置とは別に配線を設ける必要がない。
【００７４】
また、図６の（ｂ）に示すように、６つのミラー電極８のそれぞれは、横断リブ４ｂによって互いに絶縁された状態で本体部４に固定されており、横断リブ４ｂは、グローブ部４ａと一体的に成形される。このように、グローブ部４ａと絶縁部品である横断リブ４ｂとを１つの部品、すなわち同一材料で構成することにより、ミラー電極８の下端がグローブ部４ａの内面と接触しても絶縁性は維持される。よって、ミラー電極８の反射面積を減らすことなく、ミラー電極８で構成される円錐形状の反射部材の直径を、グローブ部４ａの内径とほぼ等しくすることができ、発光効率を向上させることができる。また、部品の種類を削減するとともに、発光装置１の組立工数も削減することができる。
【００７５】
なお、従来構成では、ミラーと基板のパッド電極とを絶縁させるため、個別に絶縁部品を設けていた。そのため、ミラーの反射面積が減ってしまっていた。一方、本実施形態では、横断リブ４ｂは、グローブ部４ａと同一の透光性材料で形成されるため、通常の絶縁部品とは異なり、光を遮蔽しない。よって、光を透過する面積の減少は生じない。
【００７６】
また、ミラー電極８をミラー取付部４ｅに載置する際に、ミラー電極８は横断リブ４ｂによって案内される。よって、ミラー電極８の取り付けが容易になる。
【００７７】
また、図７の（ｂ）に示すように、下部電極８ｄはＵ字状に折り曲げられており、板バネとしても機能する。これにより、下部電極８ｄの折り曲げられた部分が当接板４ｇに当接すると、当該部分の復元力が当接板４ｇに作用する。よって、ミラー電極８を本体部４に取り付けた後に脱落しないようロックできる構造を実現することができる。そのため、ミラー電極８を本体部４に取り付けたものを中間アセンブリとすることができ、リードタイムの短縮を図ることができる。
【００７８】
また、従来構成では、発光装置の下部電極と、ＬＥＤが実装された基板とを電気的に接続させる場合、ミラーとは別に設けられた電極配線を手作業による半田付けによって基板に接続していた。そのため、作業者の技術力によっては、接続不良を起こす可能性があり、作業効率が悪くコストが高いという問題があった。
【００７９】
これに対し、本実施形態では、ミラー電極８の中継電極８ｃが、板バネ形状に形成されているため、基板３を本体部４の横断リブ４ｂの上端に乗せるだけで、基板３のパッド電極６ｂとミラー電極８の中継電極８ｃとが安定した状態で接触する。したがって、半田付けの工程が不要となり、不適切な半田付けによる接続不良の問題は生じない。
【００８０】
なお、本実施形態において反射部材と基板電極とは、直接接続されているが、間接的に接続されていてもよい。
【００８１】
（まとめ）
以上のように、本実施形態では、ＬＥＤの出射光を反射させるミラーを、ＬＥＤが実装された基板に電力を供給するための電極として用いることにより、ミラーとは別に配線電極を設ける必要がない。これにより、当該配線電極が存在することによる発光効率および見栄えの低下を防止することができる。
【００８２】
ここで、従来より、ミラーと電極配線とは、絶縁させる（隔離させる）必要があるという固定観念が存在していた。そのため、当業者は、現在に至るまで、ミラーと電極配線とを一体に構成するという本発明の技術思想に想到し得なかったと考えられる。
【００８３】
また、一般的な発光装置では、発光装置の周囲に光を投射させるため、複数のＬＥＤが使用される。よって、ＬＥＤが実装される基板には複数のパッド電極が形成される。そのため、ミラーと電極配線とを一体構成したミラー電極によって基板に電力を供給する場合、ミラー電極を複数に分割する必要がある。一方、従来の一般的なミラーは、成形品に有るアルミ蒸着を施したものであるため、ミラーを分割するとコストが高くなるという不都合が生じる。これが、ミラーを基板に電力を供給するための電極として用いることを阻害する要因になっていると考えられる。
【００８４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８５】
なお、上述した実施形態に示した、発光装置１、ミラー電極８、横断リブ４ｂ、突起状リブ４ｆ等の個数は、適宜変更可能である。
【産業上の利用可能性】
【００８６】
本発明は、反射型の発光装置に好適である。
【符号の説明】
【００８７】
１  発光装置
２  保護キャップ
２ａ  開口部
２ｂ  貫通穴
３  基板
３ａ  貫通穴
４  本体部
４ａ  グローブ部
４ｂ  横断リブ
４ｃ  ネジ穴
４ｄ  電極載置面
４ｅ  ミラー取付部
４ｆ  突起状リブ（嵌合部）
４ｇ  当接板
４ｈ  連結部
４ｉ  スリット（第２のスリット）
６ａ  上部電極（第２の外部接続電極）
６ｂ  パッド電極（基板電極）
７  ＬＥＤ
８  ミラー電極（部分反射部材）
８ａ  反射部
８ｂ  垂直部
８ｃ  中継電極
８ｄ  下部電極（第１の外部接続電極）
８ｅ  スリット（第１のスリット）
８ｆ  突出部
１０  信号灯
２０  台座
【図１】
2014038715.tif 000003
【図２】
2014038715.tif 000004
【図３】
2014038715.tif 000005
【図４】
2014038715.tif 000006
【図５】
2014038715.tif 000007
【図６】
2014038715.tif 000008
【図７】
2014038715.tif 000009
【図８】
2014038715.tif 000010
【図９】
2014038715.tif 000011
【図１０】
2014038715.tif 000012
【図１１】
2014038715.tif 000013